(57)【要約】【課題】種々雑多の医療品廃棄物を分別して破砕処理することができる破砕装置を提供する。【解決手段】長尺の第１の回転軸３と、短尺の第２の回転軸４を平行に配設する。第１の回転軸３の一部にして第２の回転軸４と対峙しない部分に硬質の破砕物Ｗａを潰圧して破砕する潰圧刃５を取りつける。第１の回転軸３の他部にして第２の回転軸４と対峙する部分と第２の回転軸４に、軟質の破砕物Ｗｂを切断して破砕する切断刃１０ａ、１０ｂをそれぞれ取りつける。上記潰圧刃５の上部に硬質の破砕物Ｗａを投入するホッパー８を、切断刃１０ａ、１０ｂの上部に軟質の破砕物Ｗｂを投入するホッパー１２を設ける。【選択図】　　　　図１
2004041938.tif 000002
【特許請求の範囲】
【請求項１】
長尺の第１の回転軸と短尺の第２の回転軸を平行に配設し、第１の回転軸の一部にして第２の回転軸と対峙しない部分に硬質の破砕物を潰圧して破砕する潰圧刃を取りつけ、第１の回転軸の他部にして第２の回転軸と対峙する部分と第２の回転軸に軟質の破砕物を切断して破砕する切断刃を取りつけると共に、上記潰圧刃の上部に硬質の破砕物を投入するホッパーを、切断刃の上部に軟質の破砕物を投入するホッパーを設けたことを特徴とする医療廃棄物などの分別破砕装置。
【発明の詳細な説明】
【０００１】
【発明が属する技術分野】
この発明は、医療廃棄品をその種類に応じて分別して破砕処理することができる医療廃棄物などの分別破砕装置に関するものである。
【０００２】
【従来の技術】
病院から排出される医療廃棄物は、注射器、薬剤容器、チューブ、フィルタなど種々雑多であり、病院側では、これらの処理を一括して専門業者の手に委ねている。この廃棄物の排出量は、中小クラスの病院でも月当り数百キログラムに及んでいる。
【０００３】
これらの廃棄物は、多種雑多のまま捨てられており、専門業者は、これらを専用の容器に移して自社内に持ち帰り、専用施設で分別処理を行っている。病院側から見たとき、多種雑多の廃棄品は、いわゆるカサ量（容積）が大きくなってしまい、運搬費用さらには処理費用が高くなってしまうという不満があり、また、相手先で分別処理してしまうので、処理コストが見えないという不満もあった。そして、このことが病院の経営コスト負担を招く一因にもなっていた。
【０００４】
【発明が解決しようとする課題】
この実状に着目し、従来、実開平８−４００号に係る医療器廃棄物粉砕機が提案されたものである。この粉砕機は、注射器、人工透析用フィルタ、チューブなど合成樹脂製の軟質廃棄物を想定したものであり、大半の廃棄物を有効に処理することができたものである。しかし、ガラス容器などいわゆる硬質の廃棄物の破砕処理には向いていないという問題があり、なお改良が求められていた。
【０００５】
本発明は、上記した従来技術の問題点に着目してなされたものであり，廃棄物の種類を問わず、これを分別して破砕処理することができる医療廃棄物などの分別破砕装置を提供しようとするものである。
【０００６】
【課題を解決するための手段】
上記の目的を達成するために、本発明に係る医療廃棄物などの分別破砕装置は、次のように構成したものである。
【０００７】
すなわち、その要旨とするところは、長尺の第１の回転軸と短尺の第２の回転軸を平行に配設し、第１の回転軸の一部にして第２の回転軸と対峙しない部分に硬質の破砕物を潰圧して破砕する潰圧刃を取りつけ、第１の回転軸の他部にして第２の回転軸と対峙する部分と第２の回転軸に軟質の破砕物を切断して破砕する切断刃を取りつけると共に、上記潰圧刃の上部に硬質の破砕物を投入するホッパーを、切断刃の上部に軟質の破砕物を投入するホッパーを設けたことにある。
【０００８】
【発明の実施の形態】
以下、この発明に係る医療廃棄物などの分別破砕装置を一実施例について説明する。図１は全体構成を示す縦断正面図、図２は図１に示すＸ−Ｘ線の断面図、図３は同じくＹ−Ｙ線の断面図にして、１は機械のフレーム　２ａ〜２ｃはフレーム１の上部に配設した左右および中間の３つの軸受板　３は左右の軸受板２ａ、２ｃに支持して回転自在とした長尺の第１の回転軸　４は左方の軸受板２ｃと中間の軸受板２ｂに支持して回転自在とした第２の回転軸である。
【０００９】
５は第２の回転軸４が対峙しない部分にして第１の回転軸３に間隔的に取りつけたかぎ爪状の潰圧刃　この潰圧刃５は、ガラス容器など硬質の破砕物Ｗａを受刃６に押圧し、これを潰圧破砕する。７は潰圧刃５、受刃６を囲うようにして設けたケーシング　８は潰圧刃５の上方に設けた破砕物Ｗａの投入用ホッパー　９はケーシング７の下部に設けた排出筒ある。
【００１０】
１０ａは第２の回転軸４に間隔的に取りつけたのこ刃状の切断刃　１０ｂは回転軸４に対峙する第１の回転軸３の部分に間隔的に取りつけたのこ刃状の切断刃である。これら切断刃１０ａ、１０ｂは互いに逆方向に回転し、樹脂袋などの軟質の破砕物Ｗｂを切断刃砕する。１１は切断刃１０ａ、１０ｂを囲うようにして設けたケーシング　１２は切断刃１０ａ、１０ｂの上方に設けた破砕物Ｗｂの投入用ホッパー　１３はケーシング１１の下部に設けた排出筒ある。
【００１１】
上記の第１の回転軸３と第２の回転軸４は、スプロケットおよびギャなどの伝動手段を介して駆動モータ１４によって回転駆動する。第１の回転軸３と第２の回転軸４の速度比は１対４に設定してある。
【００１２】
一実施例に係る医療廃棄物などの分別破砕装置の構成は上記の通りであるから，廃棄品がガラス容器、磁器などの場合は、これを右側のホッパー８に投入する。投入された硬質の破砕物Ｗａは、かぎ爪状の潰圧刃５によって受刃６に押圧され、破砕される。そして、細かくなった破砕片が排出筒９から下方に落下する。
【００１３】
廃棄物が樹脂容器、チューブなどの場合は、これを左側のホッパー１２に投入する。投入された軟質の破砕物Ｗｂは一対の切断刃１０ａ、１０ｂによって切断される。この切断刃１０ａ、１０ｂは、のこ刃状であるために、絡みつくことがなく完全に細かく切断される。そして、細かくなった破砕片が排出筒１３から下方に落下する。
【００１４】
上記のようにして細片に破砕された廃棄物は、排出筒９，１３の下方に設置した収容箱（図示省略）にコンパクトに収納することができる。このように減容化した場合においては、後処理の手間さらにはコストを大幅に軽減することができる。
【００１５】
【発明の効果】
このように本発明に係る医療廃棄物などの分別破砕装置によれば、ガラス容器のような硬質の破砕物と、樹脂容器のような軟質の破砕物を分別して破砕することができる。よって種々雑多の医療廃棄物に対応して、これを合理的に減容化することができるという優れた効果を発揮する。
【図面の簡単な説明】
【図１】この発明に係る医療廃棄物などの分別破砕装置の一実施例を示す縦断正面図である。
【図２】図１のＸ−Ｘ線で切断して示す側面図である。
【図３】図１のＹ−Ｙ線で切断して示す側面図である。
【図４】破砕装置の構成を示す横断平面図である。
【符号の説明】
３　　第１の回転軸
４　　第２の回転軸
５　　潰圧刃
６　　受刃
８　　投入用ホッパー
１０ａ　切断刃
１０ｂ　切断刃
１２　　投入用ホッパー
Ｗａ　硬質の破砕物
Ｗｂ　軟質の破砕物
【図１】
2004041938.tif 000003
【図２】
2004041938.tif 000004
【図３】
2004041938.tif 000005
【図４】
2004041938.tif 000006